(57)【要約】【課題】  スイッチ機能の多機能化が図れるスイッチ装置を提供する。【解決手段】  筒状部材１３が設けられた腕時計ケース１内に配置され、傾動操作に応じてスイッチ動作するジョグスイッチ１０と、このジョグスイッチ１０を傾動操作する操作伝達部材１１と、腕時計ケース１の筒状部材１３に挿入され、スライド操作に応じて内端部が操作伝達部材１１に係脱可能に係合する操作軸部２０、およびこの操作軸部２０の外端部に設けられた操作頭部２１を有する操作部材１４と、を備えている。従って、操作軸部２０の内端部を操作伝達部材１１に係合させた状態で、操作部材１４によって操作伝達部材１１を軸方向と直交する複数方向に傾動操作できるので、この操作伝達部材１１の傾動操作によってジョグスイッチ１０を複数方向に傾動させることができる。これにより、傾動動作に応じてジョグスイッチ１０をそれぞれスイッチ動作させることができる。【選択図】        図３
2015068684.tif 000002
【特許請求の範囲】
【請求項１】
筒状部材が内外に貫通して設けられたケースと、
このケース内に配置され、傾動操作に応じてスイッチ動作するジョグスイッチと、
このジョグスイッチに設けられ、前記ジョグスイッチを傾動操作する操作伝達部材と、
前記ケースの前記筒状部材に挿入され、スライド操作に応じて内端部が前記操作伝達部材に係脱可能に係合する軸部、およびこの軸部の外端部に設けられた頭部を有し、前記操作伝達部材を傾動操作する操作部材と、
を備えていることを特徴とするスイッチ装置。
【請求項２】
請求項１に記載のスイッチ装置において、前記操作伝達部材は、前記ケースの内面側に位置する端部に非円形状の係合孔が設けられており、前記操作部材の前記軸部の内端部には、前記操作伝達部材の前記係合孔に係脱可能に係合する係合部が設けられていることを特徴とするスイッチ装置。
【請求項３】
請求項２に記載のスイッチ装置において、前記係合部は、前記操作部材が前記ケースの外部に引き出された際に、前記操作伝達部材の前記係合孔に係合し、前記操作部材が前記ケースの内部に向けて押し込まれた際に、前記操作伝達部材の前記係合孔から離脱することを特徴とするスイッチ装置。
【請求項４】
請求項１〜請求項３のいずれかに記載のスイッチ装置において、前記筒状部材は、前記ケースの内部側に設けられた小径孔部と、前記ケースの外部側に設けられた大径孔部とを有し、前記操作部材の前記軸部の外周面には、複数の防水リングが設けられていることを特徴とするスイッチ装置。
【請求項５】
請求項４に記載のスイッチ装置において、前記複数の防水リングは、前記操作部材が前記ケースの内部に向けて押し込まれて、前記操作部材の前記係合部が前記操作伝達部材の前記係合孔から離脱した状態のときに、前記複数の防水リングのすべてが前記小径孔部の内面に弾接し、前記操作部材が前記ケースの外部に引き出されて、前記操作部材の前記係合部が前記操作伝達部材の前記係合孔に係合した状態のときに、前記複数の防水リングのうち、少なくとも１つの防水リングが前記小径孔部の内面に弾接することを特徴とするスイッチ装置。
【請求項６】
請求項１〜請求項５のいずれかに記載のスイッチ装置において、前記操作部材が前記ケースの内部に向けて押し込まれた状態のときに、前記操作部材をロックするロック機構を備えていることを特徴とするスイッチ装置。
【請求項７】
請求項１〜請求項６のいずれかに記載されたスイッチ装置を備えていることを特徴とする時計。
【発明の詳細な説明】
【技術分野】
【０００１】
この発明は、時計などの電子機器に用いられるスイッチ装置およびそれを備えた時計に関する。
【背景技術】
【０００２】
例えば、腕時計においては、特許文献１に記載されているように、腕時計ケースの貫通孔に竜頭などの操作部材を挿入し、この操作部材を軸方向にスライドさせて回転操作することにより、時刻修正などのスイッチ操作を行うスイッチ装置を備えた構成のものが知られている。
【先行技術文献】
【特許文献】
【０００３】
【特許文献１】特開２０１２−１６３３４０号公報
【発明の概要】
【発明が解決しようとする課題】
【０００４】
しかしながら、このような腕時計のスイッチ装置では、操作部材を軸方向にスライドさせて回転操作することにより、スイッチ操作を行う構成であるから、スイッチ操作に伴うスイッチ機能が限られてしまい、スイッチ機能の多機能化を図ることが困難であるという問題がある。
【０００５】
この発明が解決しようとする課題は、スイッチ機能の多機能化を図ることができるスイッチ装置を提供することである。
【課題を解決するための手段】
【０００６】
この発明は、筒状部材が内外に貫通して設けられたケースと、このケース内に配置され、傾動操作に応じてスイッチ動作するジョグスイッチと、このジョグスイッチに設けられ、前記ジョグスイッチを傾動操作する操作伝達部材と、前記ケースの前記筒状部材に挿入され、スライド操作に応じて内端部が前記操作伝達部材に係脱可能に係合する軸部、およびこの軸部の外端部に設けられた頭部を有し、前記操作伝達部材を傾動操作する操作部材と、を備えていることを特徴とするスイッチ装置である。
【発明の効果】
【０００７】
この発明によれば、筒状部材に挿入された操作部材の軸部の内端部を操作伝達部材に係合させた状態で、操作部材によって操作伝達部材を軸方向と直交する複数方向に傾動操作することができるので、この操作伝達部材の複数方向の傾動操作によってジョグスイッチを複数方向に傾動させることができる。これにより、複数方向の傾動動作に応じてジョグスイッチをそれぞれスイッチ動作させることができるので、スイッチ機能の多機能化を図ることができる。
【図面の簡単な説明】
【０００８】
【図１】この発明を腕時計に適用した一実施形態を示した拡大正面図である。
【図２】図１に示された腕時計におけるスイッチ装置を示した要部の拡大斜視図である。
【図３】図１に示された腕時計のＡ−Ａ矢視において、スイッチ装置の操作部材を引き出した状態を示した要部の拡大断面図である。
【図４】図３に示されたスイッチ装置の要部を分解して示した拡大斜視図である。
【図５】図３に示されたスイッチ装置において、操作部材を押し込んでロック機構により操作部材をロックした状態を示した要部の拡大断面図である。
【発明を実施するための形態】
【０００９】
以下、図１〜図５を参照して、この発明を腕時計に適用した一実施形態について説明する。
この腕時計は、図１〜図３に示すように、腕時計ケース１を備えている。この腕時計ケース１は、ケース本体２と、このケース本体２上に配置された第１ベゼル３と、この第１ベゼル３およびケース本体２の外周を覆って配置された第２ベゼル４とを備えている。この場合、ケース本体２は、合成樹脂からなり、この合成樹脂中に金属製の補強部材２ａが埋め込まれた構成になっている。
【００１０】
この腕時計ケースの上部開口部、つまりケース本体２の上部開口部には、図３に示すように、時計ガラス５がパッキン５ａを介して取り付けられている。この腕時計ケース１の下部、つまりケース本体２の下部には、裏蓋６が防水リング６ａを介して取り付けられている。また、この腕時計ケース１の内部、つまりケース本体２の内部には、時計モジュール７が設けられている。この時計モジュール７は、時計機能に必要な各種の部品（図示せず）を備えている。
【００１１】
また、この腕時計ケース１の３時側には、図１〜図３に示すように、スイッチ装置８が設けられている。このスイッチ装置８は、腕時計ケース１内に設けられたジョグスイッチ１０と、このジョグスイッチ１０に設けられた操作伝達部材１１と、腕時計ケース１の貫通孔１２内に設けられた筒状部材１３と、この筒状部材１３に挿入された操作部材１４と、を備えている。
【００１２】
ジョグスイッチ１０は、図３〜図５に示すように、腕時計ケース１内の時計モジュール７内に組み込まれている。このジョグスイッチ１０は、スイッチ本体１０ａと操作突起１０ｂとを有し、操作突起１０ｂがスイッチ本体１０ａの一面に対して上下左右の複数方向に傾動し、この複数方向の傾動動作に応じてそれぞれスイッチ動作するように構成されている。この場合、操作突起１０ｂは、円板上に四角形の突起部を設けた構成になっている。
【００１３】
操作伝達部材１１は、図３〜図５に示すように、円筒状に形成され、その一端部がジョグスイッチ１０の操作突起１０ｂに取り付けられるように構成されている。すなわち、この操作伝達部材１１は、その一端部の内部が四角形状の角孔部１１ａに形成され、この角孔部１１ａにジョグスイッチ１０の操作突起１０ｂが嵌合した状態で接着されるように構成されている。
【００１４】
また、この操作伝達部材１１の他端部には、図３〜図５に示すように、閉塞端部１１ｂが形成されている。この閉塞端部１１ｂには、非円形状の係合孔１５が設けられている。この係合孔１５は、楕円形状や多角形状などの非円形状に形成されていれば良いが、好ましくは角の丸い三角形状（例えば、おむすび形状）に形成されていることが望ましい。
【００１５】
ところで、腕時計ケース１には、図３および図５に示すように、その内部と外部とに貫通する貫通孔１２が設けられている。この貫通孔１２内には、筒状部材１３が嵌め込まれている。この筒状部材１３は、図３〜図５に示すように、ほぼ円筒状に形成され、その内端部が腕時計ケース１内に突出し、外端部が腕時計ケース１の外部に突出するように構成されている。
【００１６】
この筒状部材１３の内端部には、図３〜図５に示すように、Ｅリングなどの抜止め部材１６が取り付けられている。また、この筒状部材１３のほぼ中間部には、腕時計ケース１の外面に設けられた座ぐり部１ａに配置される鍔部１７が設けられている。これにより、筒状部材１３は、内端部の抜止め部材１６が腕時計ケース１の内面に当接し、ほぼ中間部の鍔部１７が腕時計ケース１の外面の座ぐり部１ａに配置されることにより、軸方向に移動することなく貫通孔１２内に取り付けられている。
【００１７】
また、この筒状部材１３における貫通孔１２内に位置する外周面には、図３〜図５に示すように、複数の防水リング１８が設けられている。これら複数の防水リング１８は、その各外周縁が腕時計ケース１の貫通孔１２の内面にそれぞれ圧接している。これにより、複数の防水リング１８は、腕時計ケース１の貫通孔１２の内周面と筒状部材１３の外周面との間の防水を図っている。
【００１８】
さらに、この筒状部材１３は、図３および図５に示すように、腕時計ケース１の内部側に設けられた小径孔部１３ａと、腕時計ケース１の外部側に設けられた大径孔部１３ｂとを有している。小径孔部１３ａは、筒状部材１３の内端部から腕時計ケース１の貫通孔１２のほぼ中間部までの長さで形成されている。大径孔部１３ｂは、腕時計ケース１の貫通孔１２のほぼ中間部から筒状部材１３の外端部までの長さで形成されている。これにより、小径孔部１３ａは、その長さが大径孔部１３ｂよりも短く形成されている。
【００１９】
操作部材１４は、図３〜図５に示すように、筒状部材１３に挿入され、スライド操作に応じて内端部が操作伝達部材１１に係脱可能に係合する操作軸部２０と、この操作軸部２０の外端部に設けられた操作頭部２１とを有している。操作軸部２０は、筒状部材１３の小径孔部１３ａ内をスライドする小径軸部２０ａと、筒状部材１３の大径孔部１３ｂ内をスライドする大径軸部２０ｂとを有している。
【００２０】
この操作軸部２０の小径軸部２０ａは、図５に示すように、その外径が筒状部材１３の小径孔部１３ａの内径よりも小さく形成されている。この小径軸部２０ａは、その軸方向の長さが筒状部材１３の小径孔部１３ａの外側に位置する端部から操作伝達部材１１の内部に挿入して、ジョグスイッチ１０の操作突起１０ｂに当接することなく接近する程度の長さに形成されている。
【００２１】
また、操作軸部２０の大径軸部２０ｂは、図５に示すように、その外径が筒状部材１３の小径孔部１３ａの内径よりも大きく、かつ大径孔部１３ｂの内径よりも十分に小さく形成されている。この大径軸部２０ｂは、その長さが筒状部材１３の大径孔部１３ｂの長さとほぼ同じ長さに形成されている。これにより、操作軸部２０は、筒状部材１３の小径孔部１３ａを中心として軸方向と直交する方向に傾くように構成されている。
【００２２】
この場合、操作軸部２０の小径軸部２０ａには、図３および図４に示すように、操作軸部２０が腕時計ケース１の外部に向けて引き出された際に、筒状部材１３の内端部に当接して、操作軸部２０の引き出し位置を規制するためのＥリングなどの位置規制部材２２が取り付けられている。
【００２３】
また、この操作軸部２０の小径軸部２０ａの内端部には、図３および図４に示すように、操作伝達部材１１の非円形状の係合孔１５に係脱可能に係合する係合部２３が設けられている。この係合部２３は、操作伝達部材１１の非円形状の係合孔１５の内径と同じ形状に形成されている。すなわち、この係合部２３は、係合孔１５と同様、楕円形状や多角形状などの非円形状に形成されていれば良いが、好ましくは、角の丸い三角形状に形成されていることが望ましい。
【００２４】
これにより、この係合部２３は、図３に示すように、操作軸部２０が腕時計ケース１の外部に向けて引き出されて、位置規制部材２２が筒状部材１３の内端部に当接した際に、操作伝達部材１１の係合孔１５に係合するように構成されている。この場合、係合部２３は、操作伝達部材１１の係合孔１５に係合した状態のときに、操作軸部２０の傾動動作を操作伝達部材１１に伝達して、操作伝達部材１１を傾動させるように構成されている。
【００２５】
また、この係合部２３は、図５に示すように、操作軸部２０が腕時計ケース１の内部に向けて押し込まれた際に、操作伝達部材１１の係合孔１５から離脱して操作伝達部材１１の内部に押し込まれ、ジョグスイッチ１０の操作突起１０ｂに当接することなく接近するように構成されている。
【００２６】
さらに、この操作軸部２０の小径軸部２０ａには、図３〜図５に示すように、第１、第２の各防水リング２４、２５がそれぞれ設けられている。これら第１、第２の各防水リング２４、２５は、図５に示すように、操作軸部２０が腕時計ケース１の内部に向けて押し込まれて、操作軸部２０の係合部２３が操作伝達部材１１の内部に押し込まれた際に、筒状部材１３の小径孔部１３ａの内面にそれぞれ弾接するように構成されている。
【００２７】
また、第１、第２の各防水リング２４、２５は、図３に示すように、操作軸部２０が腕時計ケース１の外部に向けて引き出されて、操作軸部２０の係合部２３が操作伝達部材１１の係合孔１５に係合した際に、第１の防水リング２４が筒状部材１３の小径孔部１３ａの内面に弾接し、第２の防水リング２５が筒状部材１３の大径孔部１３ｂ内に配置されるように構成されている。
【００２８】
これにより、操作軸部２０は、図３に示すように、操作軸部２０が腕時計ケース１の外部に向けて引き出されて、操作軸部２０の係合部２３が操作伝達部材１１の係合孔１５に係合し、第２の防水リング２５が筒状部材１３の大径孔部１３ｂ内に配置された際に、第１の防水リング２４を支点として、筒状部材１３内において軸方向に対して直交する複数方向、つまり図２における上下左右方向に傾くように構成されている。
【００２９】
また、この操作軸部２０は、図３に示すように、操作軸部２０の係合部２３が操作伝達部材１１の係合孔１５に係合した状態で、第１の防水リング２４を支点として筒状部材１３内において軸方向に対して直交する複数方向に傾いたときに、操作伝達部材１１を複数方向に傾動させ、この操作伝達部材１１の複数方向の傾動動作に応じてジョグスイッチ１０を複数方向に傾動させて複数のスイッチ動作させるように構成されている。
【００３０】
一方、この操作軸部２０の外端部に設けられた操作頭部２１は、図３〜図５に示すように、円筒状に形成され、その外端部に閉塞部２１ａが形成され、この閉塞部２１ａの内側面に操作軸部２０の外端部が一体に設けられた構成になっている。この操作頭部２１は、その内径が筒状部材１３の外端部の外径よりも少し大きく形成されている。
【００３１】
また、この操作頭部２１は、図３および図５に示すように、コイルばね２６によって腕時計ケース１の外部に向けて押し出されるように付勢されている。このコイルばね２６は、操作軸部２０の外周に配置され、この状態で内端部が筒状部材１３の大径孔部１３ｂ内に設けられた位置規制部２６ａに弾接し、外端部が操作頭部２１の閉塞部２１ａの内側面に弾接するように構成されている。
【００３２】
さらに、この操作頭部２１は、図５に示すように、コイルばね２６のばね力に抗して腕時計ケース１の外面に向けて押し込まれた際に、ロック機構２７によってロックされるように構成されている。このロック機構２７は、図３〜図５に示すように、筒状部材１３の外端部の外周に設けられた複数の係止突起部２８と、操作頭部２１の内周面に設けられた複数の係合溝部２９とを有している。
【００３３】
この場合、複数の係止突起部２８は、図３および図５に示すように、その外径が操作頭部２１の内径よりも少し小さく形成されている。また、操作頭部２１内の複数の係合溝部２９は、操作頭部２１内の奥部、つまり閉塞部２１ａの内側面から離れた位置、つまり係止突起部２８の軸方向の厚みよりも少し長く離れた位置に設けられた複数の突起部２９ａと閉塞部２１ａの内側面との間に形成されている。これら複数の突起部２９ａは、その内径が筒状部材１３の外端部の外径よりも少し大きく形成されている。
【００３４】
これにより、ロック機構２７は、図５に示すように、操作部材１４がコイルばね２６のばね力に抗して腕時計ケース１内に向けて押し込まれた状態で、操作頭部２１を回転させると、操作頭部２１の複数の係合溝部２９が回転し、これら各係合溝部２９に筒状部材１３の複数の係止突起部２８が相対的に係合することにより、操作頭部２１をロックするように構成されている。
【００３５】
また、このロック機構２７は、図５に示すように、操作部材１４がコイルばね２６のばね力に抗して腕時計ケース１内に向けて押し込まれた状態で、操作頭部２１を回転させて操作頭部２１の複数の係合溝部２９から筒状部材１３の複数の係止突起部２８を離脱させると、図３に示すように、操作頭部２１のロックが解除され、これによりコイルばね２６のばね力によって操作部材１４が腕時計ケース１の外部に押し出されるように構成されている。
【００３６】
次に、このような腕時計のスイッチ装置８の作用について説明する。
このスイッチ装置８を使用する場合には、まず、操作部材１４がコイルばね２６のばね力に抗して腕時計ケース１内に向けて押し込まれた状態で、ロック機構２７によってロックされている操作頭部２１のロックを解除する。
【００３７】
このときには、操作頭部２１を回転させて操作頭部２１の複数の係合溝部２９から筒状部材１３の複数の係止突起部２８を離脱させる。すると、操作頭部２１のロックが解除され、コイルばね２６のばね力によって操作頭部２１が操作部材１４と共に腕時計ケース１の外部に押し出される。
【００３８】
このときには、図３に示すように、操作軸部２０の位置規制部２２が筒状部材１３の内端部に当接して、操作軸部２０の引き出し位置が規制される。この状態では、第１、第２の各防水リング２４、２５のうち、第１の防水リング２４が筒状部材１３の小径孔部１３ａの内面に弾接した状態で、第２の防水リング２５が筒状部材１３の大径孔部１３ｂ内に配置される。
【００３９】
このため、第１の防水リング２４によって日常生活レベルの防水性が確保される。この状態では、第１の防水リング２４を支点として、操作軸部２０が筒状部材１３内において軸方向に対して直交する複数方向、つまり図２における上下左右方向に傾く状態になる。また、この状態では、操作軸部２０の係合部２３が操作伝達部材１１の係合孔１５に係合し、操作軸部２０の軸方向と直交する複数方向への傾動操作が操作伝達部材１１に伝達可能な状態になる。
【００４０】
このような状態で、腕時計ケース１の外部に突出した操作頭部２１を軸方向に対して直交する複数方向、つまり図２における上下左右方向に傾動させると、操作軸部２０が第１の防水リング２４を支点として筒状部材１３内において操作頭部２１と同じ複数方向に傾動する。
【００４１】
これにより、操作軸部２０が操作伝達部材１１を操作頭部２１と同じ複数方向に傾動させるので、ジョグスイッチ１０の操作突起１０ｂが複数方向に傾動し、この複数方向の傾動動作に応じてそれぞれスイッチ動作する。これにより、複数方向の傾動動作に応じたスイッチ動作によってそれぞれ電気信号をスイッチ信号として出力する。
【００４２】
また、このスイッチ装置８を使用しない場合には、操作部材１４をコイルばね２６のばね力に抗して腕時計ケース１内に向けて押し込み、この状態で操作頭部２１を回転させて、操作頭部２１をロック機構２７によってロックする。このときには、操作頭部２１の複数の係合溝部２９が回転移動し、これら各係合溝部２９に筒状部材１３の複数の係止突起部２８が相対的に係合する。これにより、操作部材１４が腕時計ケース１内に押し込まれた状態で、操作頭部２１がロック機構２７によってロックされる。
【００４３】
この状態では、操作軸部２０が腕時計ケース１の内部に向けて押し込まれ、操作軸部２０の係合部２３が操作伝達部材１１の係合孔１５から離脱して操作伝達部材１１の内部に押し込まれ、この押し込まれた係合部２３がジョグスイッチ１０の操作突起１０ｂに当接することなく接近した状態で配置される。このため、ジョグスイッチ１０は、操作頭部２１が複数方向に傾動操作されても、スイッチ動作することがないばかりか、操作頭部２１が外部から衝撃を受けても、その衝撃がジョグスイッチ１０に伝わることがない。
【００４４】
また、この状態では、操作軸部２０が腕時計ケース１の内部に向けて押し込まれているので、第１、第２の各防水リング２４、２５が筒状部材１３の小径孔部１３ａの内面にそれぞれ弾接する。このため、操作頭部２１がその軸方向と直交する複数方向に傾動することがないので、操作軸部２０も筒状部材１３内において傾動することがない。また、このときには、第１、第２の各防水リング２４、２５が筒状部材１３の小径孔部１３ａの内面にそれぞれ弾接しているので、高気圧防水が確保される。
【００４５】
このように、この腕時計のスイッチ装置８によれば、筒状部材１３が内外に貫通して設けられた腕時計ケース１と、この腕時計ケース１内に配置され、傾動操作に応じてスイッチ動作するジョグスイッチ１０と、このジョグスイッチ１９に設けられ、ジョグスイッチ１０を傾動操作する操作伝達部材１１と、腕時計ケース１の筒状部材１３に挿入され、スライド操作に応じて内端部が操作伝達部材１１に係脱可能に係合する操作軸部２０、およびこの操作軸部２０の外端部に設けられた操作頭部２１を有し、操作伝達部材１１を傾動操作する操作部材１４と、を備えているので、スイッチ機能の多機能化を図ることができる。
【００４６】
すなわち、このスイッチ装置８では、筒状部材１３に挿入された操作部材１４の操作軸部２０の内端部を操作伝達部材１１に係合させた状態で、操作部材１４によって操作伝達部材１１を軸方向と直交する複数方向に傾動操作することができるので、この操作伝達部材１１の複数方向の傾動操作によって、ジョグスイッチ１０を複数方向に傾動させることができる。これにより、複数方向の傾動動作に応じてジョグスイッチ１０をそれぞれスイッチ動作させることができるので、スイッチ機能の多機能化を図ることができる。
【００４７】
この場合、操作伝達部材１１は、腕時計ケース１の内面側に位置する端部に非円形状の係合孔１５が設けられており、操作部材１４の操作軸部２０の内端部には、操作伝達部材１１の係合孔１５に係脱可能に係合する係合部２３が設けられているので、係合部２３が係合孔１５に係合した際に、操作軸部２０の軸方向と直交する複数方向への傾動操作を操作伝達部材１１に伝達することができ、また係合部２３が係合孔１５から離脱した際に、操作軸部２０の傾動操作が操作伝達部材１１に伝達されないようにすることができる。
【００４８】
また、係合部２３は、操作部材１４の操作頭部２１が腕時計ケース１の外部に引き出された際に、操作伝達部材１１の係合孔１５に係合することにより、操作頭部２１を腕時計ケース１の外部に引き出した状態で、操作頭部２１を傾動操作させた際に、操作部材１４の傾動動作を操作伝達部材１１に確実にかつ良好に伝達すことができ、この操作伝達部材１１の傾動動作に応じてジョグスイッチ１０をそれぞれスイッチ動作させることができる。
【００４９】
また、この係合部２３は、操作部材１４が腕時計ケース１の内部に向けて押し込まれた際に、操作伝達部材１１の係合孔１５から離脱することにより、操作部材１４が腕時計ケース１の内部に向けて押し込まれた状態で、操作頭部２１を傾動操作しても、ジョグスイッチ１０がスイッチ動作しないようにすることができると共に、操作頭部２１に衝撃が加わっても、その衝撃がジョグスイッチ１０に伝わらないようにすることができ、これにより耐衝撃性を確保することができる。
【００５０】
さらに、このスイッチ装置８では、筒状部材１３が腕時計ケース１の内部側に設けられた小径孔部１３ａと、腕時計ケース１の外部側に設けられた大径孔部１３ｂとを有し、操作部材１４の操作軸部２０の外周面に第１、第２の各防水リング２４、２５が設けられていることにより、第１、第２の各防水リング２４、２５によって筒状部材１３と操作軸部２０との間の防水を図ることができる。
【００５１】
この場合、第１、第２の各防水リング２４、２５は、操作頭部２１が腕時計ケース１内に向けて押し込まれて、操作伝達部材１１の係合孔１５から操作部材１４の係合部２３が離脱した状態のときに、第１、第２の各防水リング２４、２５が小径孔部１３ａの内面に弾接することにより、筒状部材１３と操作軸部２０との間の防水を確実に図り、高気圧防水を確保することができる。
【００５２】
また、第１、第２の各防水リング２４、２５は、操作頭部２１が腕時計ケース１の外部に引き出されて、操作伝達部材１１の係合孔１５に操作部材１４の係合部２３が係合した状態のときに、第１、第２の各防水リング２４、２５のうち、第１の防水リング２４のみが小径孔部１３ａの内面に弾接するので、日常生活程度の防水を確保することができると共に、第１の防水リング２４を支点として、操作軸部２０を筒状部材１３内において軸方向に対して直交する複数方向に傾動させることができる。
【００５３】
この場合、筒状部材１３の小径孔部１３ａは、その軸方向の長さが大径孔部１３ｂの軸方向の長さよりも十分に短く形成されていることにより、この小径孔部１３ａ内に弾接している第１の防水リング２４を支点として、操作軸部２０を筒状部材１３内において軸方向に対して直交する複数方向に確実かつ良好に傾動させることができる。
【００５４】
さらに、このスイッチ装置８では、操作頭部２１が腕時計ケース１の内部に向けて押し込まれた状態のときに、操作頭部２１をロックするロック機構２７を備えていることにより、使用しないときに操作頭部２１を腕時計ケース１内に向けて押し込んだ状態で、ロック機構２７によって操作頭部２１をロックすることができ、これにより不用意に操作頭部２１が傾動操作されても、操作頭部２１が傾動動作せず、ジョグスイッチ１０がスイッチ動作しないようにすることができる。
【００５５】
なお、上述した実施形態では、操作軸部２０の外周面に第１、第２の各防水リング２４、２５を設けた場合について述べた、これに限らず、例えば防水リングを３つ以上設けても良い。この場合も、操作軸部２０が腕時計ケース１の外部に向けて引き出された際に、少なくとも１つの防水リングが筒状部材１３の小径孔部の内面に弾接し、他の２つの防水リングが筒状部材１３の大径孔部内に配置されるように構成すれば良い。
【００５６】
また、上述した実施形態では、ロック機構２７が、筒状部材１３に設けられた複数の係止突起部２８と、操作頭部２１に設けられた複数の係合溝部２９とを有し、回転操作によって係止突起部２８を係合溝部２９に係合させる簡易型のものである場合について述べたが、これに限らず、例えば、操作頭部２１の内周面に雌ねじ部を設け、筒状部材１３の外周面に雄ねじ部を設け、この雄ねじ部を雌ねじ部に螺合させるねじ式のロック機構であっても良い。
【００５７】
さらに、上述した実施形態では、腕時計に適用した場合について述べたが、必ずしも腕時計である必要はなく、例えばトラベルウオッチ、目覚まし時計、置き時計、掛け時計などの各種の時計に適用することができる。また、時計に限らず、携帯電話機、携帯情報端末機などの電子機器にも広く適用することができる。
【００５８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５９】
（付記）
請求項１に記載の発明は、筒状部材が内外に貫通して設けられたケースと、このケース内に配置され、傾動操作に応じてスイッチ動作するジョグスイッチと、このジョグスイッチに設けられ、前記ジョグスイッチを傾動操作する操作伝達部材と、前記ケースの前記筒状部材に挿入され、スライド操作に応じて内端部が前記操作伝達部材に係脱可能に係合する軸部、およびこの軸部の外端部に設けられた頭部を有し、前記操作伝達部材を傾動操作する操作部材と、を備えていることを特徴とするスイッチ装置である。
【００６０】
請求項２に記載の発明は、請求項１に記載のスイッチ装置において、前記操作伝達部材は、前記ケースの内面側に位置する端部に非円形状の係合孔が設けられており、前記操作部材の前記軸部の内端部には、前記操作伝達部材の前記係合孔に係脱可能に係合する係合部が設けられていることを特徴とするスイッチ装置である。
【００６１】
請求項３に記載の発明は、請求項２に記載のスイッチ装置において、前記係合部は、前記操作部材が前記ケースの外部に引き出された際に、前記操作伝達部材の前記係合孔に係合し、前記操作部材が前記ケースの内部に向けて押し込まれた際に、前記操作伝達部材の前記係合孔から離脱することを特徴とするスイッチ装置である。
【００６２】
請求項４に記載の発明は、請求項１〜請求項３のいずれかに記載のスイッチ装置において、前記筒状部材は、前記ケースの内部側に設けられた小径孔部と、前記ケースの外部側に設けられた大径孔部とを有し、前記操作部材の前記軸部の外周面には、複数の防水リングが設けられていることを特徴とするスイッチ装置である。
【００６３】
請求項５に記載の発明は、請求項４に記載のスイッチ装置において、前記複数の防水リングは、前記操作部材が前記ケースの内部に向けて押し込まれて、前記操作部材の前記係合部が前記操作伝達部材の前記係合孔から離脱した状態のときに、前記複数の防水リングのすべてが前記小径孔部の内面に弾接し、前記操作部材が前記ケースの外部に引き出されて、前記操作部材の前記係合部が前記操作伝達部材の前記係合孔に係合した状態のときに、前記複数の防水リングのうち、少なくとも１つの防水リングが前記小径孔部の内面に弾接することを特徴とするスイッチ装置である。
【００６４】
請求項６に記載の発明は、請求項１〜請求項５のいずれかに記載のスイッチ装置において、前記操作部材が前記ケースの内部に向けて押し込まれた状態のときに、前記操作部材をロックするロック機構を備えていることを特徴とするスイッチ装置である。
【００６５】
請求項７に記載の発明は、請求項１〜請求項６のいずれかに記載されたスイッチ装置を備えていることを特徴とする時計である。
【符号の説明】
【００６６】
１  腕時計ケース
７  時計モジュール
８  スイッチ装置
１０  ジョグスイッチ
１１  操作伝達部材
１２  貫通孔
１３  筒状部材
１３ａ  小径孔部
１３ｂ  大径孔部
１４  操作部材
１５  係合孔
２０  操作軸部
２１  操作頭部
２３  係合部
２４  第１の防水リング
２５  第２の防水リング
２７  ロック機構
【図１】
2015068684.tif 000003
【図２】
2015068684.tif 000004
【図３】
2015068684.tif 000005
【図４】
2015068684.tif 000006
【図５】
2015068684.tif 000007